(57)【特許請求の範囲】
【請求項１】
長尺な直線状の取手用ポールと、取手用ポールの上部側で直交方向に亘って蛍光灯のガラス管と相対する筒形の横桁フレームを基体とし、  前記横桁フレームの側部両側から向き合って上端側を開き，閉じ可能に引張バネで引合い支持した一対の湾曲爪により、蛍光灯のガラス管を把持し乃至は解放するチャックを前記横桁フレームに立て付けて設けると共に、前記チャックの湾曲爪を開き保持し、一方、前記湾曲爪を開き状態から閉じ状態にするキーを前記チャックに組み付け、可動フレームを横桁フレームの一方の筒端より伸出し移動可能に嵌め込んで設け、前記可動フレームを退却方向に引張る戻しバネを横桁フレームの筒内に設け、更に、蛍光灯の口金近くを受け入れてソケットケースの前面と当接可能なプッシャを前記可動フレームの外端側に設け、前記可動フレームを前記横桁フレームの一方の筒端より伸出し移動させる操作レバーを取手用ポールの握り手側に設け、  各口金を両側のソケットケースでバネ変位可能に収容した各ソケットに当接し、各口金ピンを各ソケットの端子穴に差し込んで電気的に接続する直管型蛍光灯着脱交換器具であって、  前記チャックは、中央の横軸部より左右の縦軸部を直角に折り曲げて略コの字状を呈し、該両縦軸部の上端寄りを前記蛍光灯のガラス管と略相応する円弧状の湾曲軸部とし、該両縦軸部の下端寄りをＬ字状の基軸部として該湾曲軸部の円弧方向と同方向の略直角に折り曲げて形成した支持枠と、両側縁を該湾曲軸部の軸上に折曲げ固定した支持板とからなる一対の湾曲爪を備え、  前記支持枠の各基軸部を前記横桁フレームの各側面に開口した係止穴より筒内に挿置させて前記一対の湾曲爪を前記横桁フレームの側部両側で相対し、前記横桁フレームの筒内に配置する引張バネの各バネ端を前記横桁フレームの各側面に開口する通し穴より外方に引き出させて前記支持枠の相対する各基軸部の縦軸間に掛け渡し、  前記横桁フレームの係止穴より筒内に挿置する前記支持枠の基軸部を支点に、前記蛍光灯のガラス管を把持し乃至は解放するべく、前記一対の湾曲爪を前記引張バネで離間乃至は近接可能に支持してなり、  前記キーは、下部辺を横桁フレームの下側に配置し、各側部辺を前記横桁フレームの両側に配置し、各側部辺の上端側を前記横桁フレームの側面と前記各支持板との間に割込ませ可能な上向きコ字状の楔状片と、該楔状片の底部辺に植立させて前記横桁フレームの筒内に挿通し、軸上側を湾曲爪の相対する前記横桁フレームの上面側に突出可能な外しピンとからなり、  前記外しピンを前記湾曲爪の相対する前記横桁フレームの上面側に突出させ、且つ、前記楔状片の各側部辺を前記横桁フレームの側面と前記湾曲爪の各支持板との間に割り込ませて前記一対の湾曲爪を開き保持し、一方、前記湾曲爪の開いた爪間に受け入れる前記蛍光灯のガラス管により前記外しピンを押し下げて前記楔状片を前記横桁フレームの側面と前記湾曲爪の各支持板との間より外れ出し可能に組み付けたことを特徴とする直管型蛍光灯着脱交換器具。
【請求項２】
前記チャックは、前記支持板の下側縁を湾曲させて前記横桁フレームの側面と近接するガイド縁を設けた一対の湾曲爪を備えてなり、
前記キーは、前記各湾曲爪のガイド縁と摺接する各側部辺の上端側を斜めに面取った上向きコ字状の楔状片を備えてなることを特徴とする請求項１に記載の直管型蛍光灯着脱交換器具。
【請求項３】
前記プッシャは、内面側が前記蛍光灯のソケットよりも大きな円弧状を呈する一対の囲いアームを備えると共に、前記可動フレームの長手方向で相対する立上りフレームを前記可動フレームの外端寄り上部に備え、
前記各囲いアームは、円弧状の内面側で相対させて前記立上りフレームに掛け渡す支軸ピンで開き，閉じ可能に軸承支持してなることを特徴とする請求項１に記載の直管型蛍光灯着脱交換器具。
【請求項４】
前記一対の囲いアームは、前記ソケットを収容するソケットケースの前面と相対する側の上部縁を斜めに面取り形成してなることを特徴とする請求項３に記載の直管型蛍光灯着脱交換器具。
【請求項５】
前記横桁フレームは、前記可動フレームの伸出し移動側と反対の筒端より直線状に伸びる固定フレームを設け、前記蛍光灯の口金付近を受入れ可能に広がって前記ソケットケースの前面から側面に亘る略Ｖ字状のストッパ片を固定フレームの外端側に設けてなることを特徴とする請求項１に記載の直管型蛍光灯着脱交換器具。
【請求項６】
前記ストッパ片は、前記ソケットケースの両側部から設置面に向けて当接する位置決めバーを各上端側にスライド可能に設けてなることを特徴とする請求項５に記載の直管型蛍光灯着脱交換器具。
【発明の詳細な説明】
【技術分野】
【０００１】
本発明は、比較的高所の天井等に装備される直管型蛍光灯の着脱交換器具に関するものである。
【背景技術】
【０００２】
直管型の蛍光灯は、図２０で示すように直線状のガラス管Ｇと、ガラス管Ｇの左右に取り付けられた口金Ｃ１，Ｃ２と、口金Ｃ１，Ｃ２より突出する口金ピンＰ１，Ｐ２とを備えて構成されている。この蛍光灯の取付け設備としては、ソケットケースＮ１，Ｎ２を反射カバーＲの左右内側に備え、ソケットケースＮ１，Ｎ２でバネ変位可能に収容したソケットＳ１，Ｓ２に口金Ｃ１，Ｃ２を当接し、口金ピンＰ１，Ｐ２をソケットＳ１，Ｓ２の端子穴（符号なし）に差し込むことから電気的に接続するものがある。
【０００３】
その蛍光灯の場合、取外し時には一方のソケットを灯全体で押すことによりソケットケースの内部に没入させると共に、他方の口金（「口金ピン」含む。以下同じ）を相対する他方のソケット（「端子穴」を含む。以下同じ）より外し出し、また、取付け時には一方のソケットを灯全体で押すことによりソケットケースの内部に没入させると共に、他方の口金を相対するソケットと合わせて取り付ける手順で着脱交換することが行われている。
【０００４】
天井等の比較的高所に装備される蛍光灯の着脱交換に対応するべく、従来、高所にまで伸ばせる長尺な取手用ポールを備え、蛍光灯のガラス管を把持乃至は解放可能なチャックを取手用ポールの上端側に取付固定すると共に、蛍光灯の口金を銜えて灯全体を軸線方向に横ずらし可能な可動爪をチャックより離れた取手用ポールの横方向に備える直管型蛍光灯の着脱交換器具が知られている（特許文献１，２）。
【０００５】
上述した可動爪に代えて、口金とソケットとの隙間に差し込んで灯全体を軸線方向に横ずらしするよう口金の端部面より押圧可能な係合片を取手用ポールの上端側に備え付けた直管型蛍光灯の着脱交換器具も知られている（特許文献３，４）。
【０００６】
その直管型蛍光灯の着脱交換器具は、蛍光灯の取外し時で説明すると、いずれも、蛍光灯のガラス管をチャックで把持すると共に、灯全体を可動爪または係合片でチャック側に向けて押し送りする。換言すると、ガラス管のチャックによる把持（固定点）に対し、灯全体を可動爪または係合片の可動側で押し送りするものとして構成されている。
【０００７】
それによると、灯全体を可動爪または係合片で押し送りするに伴って、可動爪または係合片の押圧による過度なストレスがチャックとの間でガラス管に加わるおそれがある。
【０００８】
上述した以外に、略台形に折り曲げた板バネでなる支持台を取手用ポールの上端側に取り付け、鰐口状のクリップを支持台の内側に介装すると共に、クリップと支持台とを支軸で相対的にズレ動可能に軸着し、支持台の側板を引張り紐で拡開する操作レバーを取手用ポールの握り手側に取り付け、更に、略Ｌの字状を呈する突張りリンクを支持台の下部側からソケットケースまで伸びるよう取手用ポールの側面に支軸で軸着した直管型蛍光灯の着脱交換器具が知られている（特許文献５）。
【０００９】
その直管型蛍光灯の着脱交換器具は、蛍光灯の取外し時で説明すると、まず、クリップを半開き状態でガラス管にあてがい、取手用ポールがクリップと支持台との支軸点より突張りリンクの張出し側と反対方向に斜めになるよう保ち、突張りリンクの先端側を片側のソケットケースにあてがうと共に、ガラス管をクリップで把持し、次いで、取手用ポールを垂直方向に移動することにより、突張りリンクをソケットケースに圧接させてテコとすることから、ガラス管を把持したクリップにより灯全体を軸線方向に動かせて口金をソケットより取り外せるよう構成されている。
【００１０】
その直管型蛍光灯の着脱交換器具では、上述したようにクリップを半開き状態でガラス管にあてがって取手用ポールの軸線方向を斜めに保つことにより、突張りリンクの上端側を片側のソケットケースにあてがうという不安定な手間の掛かる作業が必要となる。また、突張りリンクをソケットケースに圧接するテコ状態のままでソケットケースより擦り下げて灯全体をソケットから外すという無理な作業も必要となる。
【特許文献１】特開平１０−２５５７１７
【特許文献２】実用新案登録第３０９９０６６号
【特許文献３】特開平９−５７６４４
【特許文献４】特開平１０−５７２
【特許文献５】実用新案登録第３０１７８６２号
【発明の開示】
【発明が解決しようとする課題】
【００１１】
本発明の課題は、ガラス管をチャックで把持することから、灯全体を軸線方向に動かしても、ストレスをガラス管に加えないで、蛍光灯を簡単な機構乃至は操作で容易に取付け乃至は取外し可能な直管型蛍光灯の着脱交換器具を構成するところにある。
【００１２】
また、ガラス管をチャックで安定よく把持することから、蛍光灯を簡単な操作で容易に取付け乃至は取外し可能な直管型蛍光灯の着脱交換器具を構成するところにある。
【課題を解決するための手段】
【００１３】
本願の請求項１に係る発明は、長尺な直線状の取手用ポールと、取手用ポールの上部側で直交方向に亘って蛍光灯のガラス管と相対する筒形の横桁フレームを基体とし、
前記横桁フレームの側部両側から向き合って上端側を開き，閉じ可能に引張バネで引合い支持した一対の湾曲爪により、蛍光灯のガラス管を把持し乃至は解放するチャックを前記横桁フレームに立て付けて設けると共に、前記チャックの湾曲爪を開き保持し、一方、前記湾曲爪を開き状態から閉じ状態に作動するキーを前記チャックに組み付け、
可動フレームを横桁フレームの一方の筒端より伸出し移動可能に嵌め込んで設け、前記可動フレームを退却方向に引張る戻しバネを横桁フレームの筒内に設け、
更に、蛍光灯の口金近くを受け入れてソケットケースの前面と当接可能なプッシャを前記可動フレームの外端側に設け、前記可動フレームを前記横桁フレームの一方の筒端より伸出し移動させる操作レバーを取手用ポールの握り手側に設け、
各口金を両側のソケットケースでバネ変位可能に収容した各ソケットに当接し、各口金ピンを各ソケットの端子穴に差し込んで電気的に接続する直管型蛍光灯着脱交換器具に係る。
【００１４】
前記チャックは、中央の横軸部より左右の縦軸部を直角に折り曲げて略コの字状を呈し、該両縦軸部の上端寄りを前記蛍光灯のガラス管と略相応する円弧状の湾曲軸部とし、該両縦軸部の下端寄りをＬ字状の基軸部として該湾曲軸部の円弧方向と同方向の略直角に折り曲げて形成した支持枠と、両側縁を該湾曲軸部の軸上に折曲げ固定した支持板とからなる一対の湾曲爪を備え、
前記支持枠の各基軸部を前記横桁フレームの各側面に開口した係止穴より筒内に挿置させて前記一対の湾曲爪を前記横桁フレームの側部両側で相対し、前記横桁フレームの筒内に配置する引張バネの各バネ端を前記横桁フレームの各側面に開口する通し穴より外方に引き出させて前記支持枠の相対する各基軸部の縦軸間に掛け渡し、
前記横桁フレームの係止穴より筒内に挿置する前記支持枠の基軸部を支点に、前記蛍光灯のガラス管を把持し乃至は解放するべく、前記一対の湾曲爪を前記引張バネで離間乃至は近接可能に支持してなる。
【００１５】
前記キーは、下部辺を横桁フレームの下側に配置し、各側部辺を前記横桁フレームの両側に配置し、各側部辺の上端側を前記横桁フレームの側面と前記各支持板との間に割込ませ可能な上向きコ字状の楔状片と、該楔状片の底部辺に植立させて前記横桁フレームの筒内に挿通し、軸上側を湾曲爪の相対する前記横桁フレームの上面側に突出可能な外しピンとからなり、
前記外しピンを前記湾曲爪の相対する前記横桁フレームの上面側に突出させ、且つ、前記楔状片の各側部辺を前記横桁フレームの側面と前記湾曲爪の各支持板との間に割り込ませて前記一対の湾曲爪を開き保持し、一方、前記湾曲爪の開いた爪間に受け入れる前記蛍光灯のガラス管により前記外しピンを押し下げて前記楔状片を前記横桁フレームの側面と前記湾曲爪の各支持板との間より外れ出し可能に組み付けてなる。
【００１６】
本願の請求項２に係る発明においては、前記チャックは、前記支持板の下側縁を湾曲させて前記横桁フレームの側面と近接するガイド縁を設けた一対の湾曲爪を備えてなり、
前記キーは、前記各湾曲爪のガイド縁と摺接する各側部辺の上端側を斜めに面取った上向きコ字状の楔状片を備えてなることを特徴とする。
【００１７】
本願の請求項３に係る発明においては、前記プッシャは、内面側が前記蛍光灯のソケットよりも大きな円弧状を呈する一対の囲いアームを備えると共に、前記可動フレームの長手方向で相対する立上りフレームを前記可動フレームの外端寄り上部に備え、
前記各囲いアームは、円弧状の内面側で相対させて前記立上りフレームに掛け渡す支軸ピンで開き，閉じ可能に軸承支持してなることを特徴とするソケットケースの前面と相対する側の上部縁を斜めに面取り形成した一対のアームを備えたことを特徴とする。
【００１８】
本願の請求項４に係る発明においては、前記一対の囲いアームは、前記ソケットを収容するソケットケースの前面と相対する側の上部縁を斜めに面取り形成してなることを特徴とする。
【００１９】
本願の請求項５に係る発明においては、前記横桁フレームは、前記可動フレームの伸出し移動側と反対の筒端より直線状に伸びる固定フレームを設け、前記蛍光灯の口金付近を受入れ可能に広がって前記ソケットケースの前面から側面に亘る略Ｖ字状のストッパ片を固定フレームの外端側に設けてなることを特徴とする。
【００２０】
本願の請求項６に係る発明においては、前記ストッパ片は、前記ソケットケースの両側部から設置面に向けて当接する位置決めバーを各上端側にスライド可能に設けてなることを特徴とする。
【発明の効果】
【００２１】
本願の請求項１に係る発明では、既設の蛍光灯を取り外すにあたり、作業者が具全体を取手用ポールで持って蛍光灯の装備場所まで持ち上げ、まず、プッシャの外端面を一方のソケットケースに当接し、これを基準面として具全体を押し上げると、チャックが蛍光灯のガラス管を湾曲爪の相対間に受け入れて把持すると共に、プッシャが蛍光灯のガラス管から口金を受け入れる。
【００２２】
次いで、作業者が可動フレームを操作レバーで横桁フレームの一方の筒端より延長方向に伸び出させると、プッシャが一方の当接したソケットケースを押すことにより、具全体が蛍光灯のガラス管をチャックで挟持したままにプッシャと相対的にズレ動くことから、蛍光灯の灯全体により他方のソケットをソケットケースの内部に没入させると同時に、プッシャ側のソケットから口金ピンを含む口金を該ソケットより抜き出せる。
【００２３】
プッシャ側口金の外し状態では、他方の口金ピンを含む口金が没入側のソケットで保持されたままであるが、作業者が具全体を取手用ポールで引き下げることから、プッシャをソケットケースとの当接状態より摺り外し、蛍光灯のカラス管をチャックで挟持したまま口金ピンを含む口金をプッシャ側のソケットから外せば、灯全体をソケットケースより斜めに下ろせ、また、他方の口金ピンを含む口金を他方の没入したソケットより取り外せるから、チャックで挟持した蛍光灯を取手用ポールで手元まで取り寄せられる。
【００２４】
蛍光灯の取付けにあたっては、まず、作業者がプッシャと片方の口金とを基準面の端面相互で合わせて蛍光灯のガラス管をチャックで把持することから蛍光灯を横桁フレームに予め組み付ける。次いで、作業者が取手用ポールを持って蛍光灯を装備場所まで持ち上げ、一方の口金ピンと相応するソケットの端子穴とを位置合わせし、口金ピンを端子穴に差し込み、プッシャを上部側から斜めにソケットケースにあてがうようレバー操作することによりソケットケースをプッシャで押すと、位置合せした一方の口金ピンを端子穴に差し込める。
【００２５】
そのプッシャのあてがい状態より、作業者が上述したと逆にプッシャをソケットケースに対して摺り上げるよう取手用ポールを持ち上げると、プッシャがソケットケースを押すことから、具全体が蛍光灯のガラス管をチャックで挟持したままプッシャと相対的にズレ動き、蛍光灯の灯全体により先の口金ピンを位置合せした端子穴に差し込めると共に、ソケットをソケットケースの内部に没入させることにより、プッシャ側の口金を当該側のソケットと合わせられる。
【００２６】
プッシャ側の口金を当該側のソケットと合わせたら、作業者が操作レバーの握りを解除すると、可動フレームが引張バネで復帰方向に戻ると共に、プッシャが退却移動することから、先の口金ピンを端子穴に差し込んだソケットをソケットケースの内部で迫り出させられると同時に、プッシャ側の口金ピンを当該側のソケットの端子穴に差し込める。これにより、蛍光灯を装備場所に取り付けられ、作業者が具全体を取手用ポールで引き下げれば、チャック，プッシャを蛍光灯のガラス管より外すようにできる。
【００２７】
その蛍光灯の取付け，取外しのいずれに際しても、チャックが蛍光灯のガラス管と擦れ動くことがなく、また、プッシャも蛍光灯のガラス管と摺接することがないため、ストレスをガラス管に加えないで、蛍光灯を簡単な操作で容易に着脱交換するようにできる。
【００２８】
チャックでは、横桁フレームの係止穴より筒内に挿置する支持枠の基軸部を支点に、蛍光灯のガラス管を把持する一対の湾曲爪を引張バネで離間乃至は近接可能に支持したことから、一対の湾曲爪により蛍光灯のガラス管を簡単な機構で安定よく把持できる。
【００２９】
キーでは、外しピンを湾曲爪の相対する横桁フレームの上面側に突出させ、且つ、楔状片の各側部辺を横桁フレームの側面と各湾曲爪の支持板との間に割り込ませて一対の湾曲爪を開き保持できることから、蛍光灯の取外しにあたり、湾曲爪の開いた間に受け入れる蛍光灯のガラス管により外しピンを押し下げることにより、楔状片を横桁フレームの側面と各湾曲爪の支持板との間より外れ出せば、蛍光灯のガラス管を一対の湾曲爪により把持できるため、天井等の比較的高所に装備される蛍光灯でもチャックで簡単且つ確実に把持するようにできる。
【００３０】
本願の請求項２に係る発明では、支持板の下側縁を湾曲させて横桁フレームの側面と近接するガイド縁を設けた一対の湾曲爪を備え、各湾曲爪のガイド縁と摺接する各側部辺の上端側を斜めに面取った上向きコ字状の楔状片を備えるため、楔状片の各側辺部が横桁フレームの側面を規制面として内面側で摺接し、各側部辺の斜めに面取った上端側が支持板のガイド縁と摺接することにより、一対の湾曲爪を引張バネに抗して確実に離間方向に押圧するようにできる。
【００３１】
本願の請求項３に係る発明では、内面側がソケットよりも大きな円弧状を呈する一対の囲いアームを備えると共に、可動フレームの長手方向で相対する立上りフレームを可動フレームの外端寄り上部に設け、各囲いアームを内面側で相対させて立上りフレームに掛け渡す支軸ピンで開き，閉じ可能に軸承支持したプッシャを設けたことから、蛍光灯が天井等の比較的高所に装備されている場合でも、囲いアームを二つに開いて蛍光灯の口金付近を簡単に受け入れられると共に、囲いアームを閉じてソケットケースに安定よく当接するようにできる。
【００３２】
本願の請求項４に係る発明では、ソケットケースの前面と相対する側の上部縁を斜めに面取り形成した一対の囲いアームを備えたことから、蛍光灯の外し時にプッシャをソケットケースとの当接状態より容易に摺り外せ、また、蛍光灯の取付け時にプッシャを上部側から斜めにソケットケースに容易にあてがえる。
【００３３】
本願の請求項５に係る発明では、横桁フレームの他方の筒端より直線状に伸びる固定フレームを設け、蛍光灯の口金付近を受入れ可能な広がりを持ってソケットケースの前面から側面に亘る略Ｖ字状のストッパ片を固定フレームの外端側に設けたことをから、プッシャを相対するソケットケースに圧接するに、ストッパ片が他方のソケットケースに当接することにより、一方の口金の没入と共に、他方の口金の取外しを安定よく行える。
【００３４】
本願の請求項６に係る発明では、ソケットケースの両側部から設置面に向けて当接可能な位置決めバーをストッパ片の各上端側にスライド可能に設けたことから、蛍光灯を天井等の比較的高所に取り付けるにあたり、ストッパ片の当接する側の口金とソケットとを容易に位置合わせできる。
【発明を実施するための最良の形態】
【００３５】
図示実施の形態に係る直管型蛍光灯着脱交換器具は、図１，図２で示すように作業者が蛍光灯を持ち上げ乃至は持ち下げるに手で持つ長尺な直線状の取手用ポール１と、取手用ポール１の上部側で直交方向に亘って蛍光灯のガラス管と相対する四角筒形の横桁フレーム２を基体として構成されている。横桁フレーム２の上面側には、滑止め兼緩衝用の弾性パッド２ａが蛍光灯のガラス管と接するよう張設配置されている。
【００３６】
横桁フレーム２には、蛍光灯のガラス管を把持するチャック３，３’が中央位置の取手用ポール１を介して左右両側に配設されている。横桁フレーム２には、内端側の一部を筒内に嵌め込む可動フレーム４が一方の筒端から伸出し移動可能に設けられている。可動フレーム４の外端側には、ソケットケースの前面と当接可能なプッシャ５が設けられている。横桁フレーム２の他方筒端には、直線状に伸びる固定フレーム６が取り付けられている。固定フレーム６の外端側には、ストッパ片７，位置決めバー８が設けられている。
【００３７】
取手用ポール１は丸パイプでなり、握り手側には操作レバー９が設けられている。操作レバー９は、後述するように可動フレーム４を横桁フレーム２の一方筒端から伸出し移動させるようナイロン等の強靭な牽引糸１０で作動バーと繋がれている。
【００３８】
チャック３，３’を片方に基づいて説明すると、チャック３は、図３で示すように横桁フレーム２を介して両側から向き合う一対の湾曲爪３ａ，３ｂを備えて組み立てられている。湾曲爪３ａ，３ｂは、一方に符号を付けて説明すると、図４ａ〜図４ｃでも示すように金属線材の支持枠３０と、緩衝用の弾性パッド３１を板面に貼付け固定した金属薄板の支持板３２から形成されている。
【００３９】
支持枠３０は、中央の横軸部３０ａより左右の縦軸部を直角に折り曲げた略コの字状を呈し（図４ａ参照）、両縦軸部の上端寄りを湾曲させて蛍光灯のガラス管と略相応する円弧状の湾曲軸部３０ｂ，３０ｃとし、両縦軸部の下端寄りをＬ字状の基軸部３０ｄ，３０ｅとして湾曲軸部３０ｂ，３０ｃの円弧方向と同方向の略直角に折り曲げ、更に、湾曲軸部３０ｂ，３０ｃから基軸部３０ｄ，３０ｅに亘る軸線部分を段部３０ｆ，３０ｇとして折曲げ形成されている（図４ｂ参照）。
【００４０】
弾性パッド３１はゴム板でなり、支持枠３０の横軸部３０ａから湾曲軸部３０ｂ，３０ｃに亘る枠内で支持板３２の板面に貼付け配置されている（図４ｃ参照）。支持板３２は、両側縁３２ａ，３２ｂを湾曲軸部３０ｂ，３０ｃの軸上に曲込み固定し、また、下側縁を湾曲させて設けた円筒状のガイド縁３２ｃを備えて支持枠３０に取り付けられている。
【００４１】
一対の湾曲爪３ａ，３ｂは、図３，図５で示すように支持枠３１の各基軸部３０ｄ，３０ｅを横桁フレーム２の各側面に開口した係止穴２ｂ，２ｃより筒内に挿置し、横桁フレーム２の筒内に配置する引張バネ３３ａ，３３ｂの各バネ端を横桁フレーム２の各側面に開口する通し穴（符号なし）より外方に引き出させて相対する基軸部３０ｄ（相手方の符号なし）の縦軸部分に掛け渡すことから、横桁フレーム２の側部両側で互いに引張り合うよう組み付けられている。
【００４２】
上述した構成から、チャック３，３’は、支持枠３０の基軸部３０ｄ，３０ｅを支点に、上端側を開き，閉じ可能に引張バネ３３ａ，３３ｂで引張り合う一対の湾曲爪３ａ，３ｂにより、蛍光灯のガラス管を把持し乃至は解放するよう横桁フレーム２に立て付けて設けられている。
【００４３】
チャック３，３’には、一対の湾曲爪３ａ，３ｂを開き保持可能なキー３ｃが組み付けられている。キー３ｃは、図３，図５で示すように横桁フレーム２の側面と支持板３２のガイド縁３２ｃとの間に割込ませ可能な上向きコ字状の楔状片３４と、軸上端側を湾曲爪３ａ，３ｂの相対する横桁フレーム２の上面側に突出可能な外しピン３５と、外しピン３５を立付け保持する固定ナット３６とから組み立てられている。
【００４４】
楔状片３４は、底部辺３４ａを横桁フレーム２の下面側に配置し、各側部辺３４ｂ，３４ｃを横桁フレーム２の両側面に配置するよう組み付けられている。外しピン３５は、楔状片３４ａの底部辺３４ａに植立させて横桁フレーム２の筒内に挿通し、緩衝用のゴム管３６を軸中腹まで嵌装することから、キー全体が横桁フレーム２から脱落しないよう組み付けられている。横桁フレーム２の底面には、外しピン３５の挿通穴がゴム管３６の径よりも小さく設けられている。
【００４５】
楔状片３４としては、先端側の外面側を鋭角に面取って形成したものが備えられている。これにより、楔状片３４は各側辺部３４ａ，３４ｂが横桁フレーム２の側面を規制面として内面側で摺接し、先端側の面取った外面側が支持板３２のガイド縁３２ｃと摺接するため、支持板３２のガイド縁３２ｃを引張バネ３３ａ，３３ｂに抗して離間方向に押圧するよう組み付けられている。
【００４６】
キー３ｃは、外しピン３５を湾曲爪３ａ，３ｂの相対する横桁フレーム２の上面に突出させ、且つ、楔状片３４の各側部辺３４ａ，３４ｂを横桁フレーム２の側面と支持板３２のガイド縁３２ｃとの間に割り込ませて一対の湾曲爪３ａ，３ｂを開き保持する。一方、湾曲爪３ａ，３ｂの互いに開いた間に受け入れる蛍光灯のガラス管により外しピン３５を押し下げ、楔状片３ａ，３ｂを横桁フレーム２の側面と各支持板３２のガイド縁３２ｃとの間より外し出すことから、蛍光灯のガラス管をチャック３，３’の湾曲爪３ａ，３ｂで把持させるよう組み付けられている。
【００４７】
可動フレーム４は、底部面が開放されたＣ型の金属チャンネル材でなり、図２で示すようにコイルスプリングでなる引張バネ４ａを可動フレーム４の植立ピン４ｂと横桁フレーム２の植立ピン２ｄとの間に掛け渡すことから横桁フレーム２の筒内に退却移動可能にバネ引張されている。可動フレーム４には、上述した支持枠３０の基軸部３０ｄ，３０ｅが当接しないよう切欠４ｃが設けられている。また、キー３ｃの外しピン３５と相対的にズレ動けるよう長穴（図示せず）が外しピン３５の挿通穴として上部面に設けられている。
【００４８】
プッシャ５は、図６，図７で示すように内面側がソケットよりも大きな円弧状を呈する一対の囲いアーム５ａ，５ｂでなり、一対の囲いアーム５ａ，５ｂとしてはソケットケースの前面と相対する側の上部縁５０ａ，５０ｂを斜めに面取り形成したものが備えられている。各囲いアーム５ａ，５ｂは、可動フレーム４の長手方向で相対する立上りフレーム５１ａ，５１ｂを外端寄り上部に設け、立上りフレーム５１ａ，５１ｂに掛け渡す支軸ピン５２ａ，５２ｂで軸承させて開き，閉じ可能に取り付けられている。
【００４９】
プッシャ５は、二つ割れに開いて蛍光灯の口金付近を受け入れられると共に、内端側が蛍光灯の口金付近で押されて蛍光灯の口金付近を取り込めるよう備え付けられている。口金付近の取込み状態では、図８で示すように各囲いアーム５ａ，５ｂの内面側が蛍光灯の口金と摺接しない略円形を呈するよう形成されている。
【００５０】
ストッパ片７は、図９で示すように蛍光灯の口金Ｃ１を受入れ可能に広がってソケットケースＳ１の前面から側面に亘る略Ｖ字状を呈するよう金属薄板から折り曲げて形成されている。このストッパ片７は、略Ｖ字の基部側を固定フレーム６から伸びる金属パイプ６ａの下面側にあてがって締付けビス６ｂで取付け固定されている。
【００５１】
位置決めバー８は、図１０で示すように金属線材もＬ字状バー８ａ，８ｂを二本備えてなり、Ｌ字状バー８ａ，８ｂをストッパ片７の各上端側に設けた円筒ホルダー７ａ，７ｂでスライド可能に保持させて組み付けられている。Ｌ字状バー８ａ，８ｂは、後述する如くストッパ片７の当接する側の口金とソケットとを位置合わせするよう、ソケットケースの両側部から設置面に向けて当接するものであり、その当接状態から可動フレーム４によるプッシャ５の移動に伴って長さを変えられるようスライド可能に備えられている。
【００５２】
プッシャ５の伸出し移動機構は、図１１で示すように作動バー１１，屈伸リンク１２とから組み立てられている。作動バー１１は一本の棒状のものでなり、取手用ポール１の上部側より横桁フレーム２の筒内に臨ませて設けられている。
【００５３】
屈伸リンク１２は、二本の直線バー１２ａ，１２ｂを組み合わせてなる。各直線バー１２ａ，１２ｂは、上端側が作動バー１１の上端側に同軸の支ピン１１ａで枢着されている。一方１２ａは下端側が横桁フレーム２の側面に軸承連結され、他方１２ｂは下端側が可動フレーム４の側面に軸承連結されている。これにより、屈伸リンク１２は、直線バー１２ａを支点に屈伸可能に組み付けられている。なお、各直線バー１２ａ，１２ｂは作動バー１１を介して両側に取り付けるようにできる。
【００５４】
取手用ポール１は、図１１で示すように横桁フレーム２の中央位置に設けた円筒状のポールホルダー１３に嵌込み連結することから、蛍光灯の装備場所の高さに応じて長さの異なるものと締付けねじ１３ａで着脱交換可能に備え付けられている。ポールホルダー１３は、横桁フレーム２の底部面との間に掛渡し固定する筋交い板１４ａ，１４ｂで立付け補強されている。
【００５５】
作動バー１１を内部に収容配置することの関係から、ポールホルダー１３には縦長穴１３ｂが上端寄り側面に設けられている。作動バー１１には、牽引糸の繋ぎピン１１ｂが側方に突出するよう設けられている。繋ぎピン１１ｂは、突端側をＬ字状に折り曲げてポールホルダー１２の縦長穴１２ｂより外部に突出することから作動バー１１の上下動と共に縦長穴１３ｂの穴内で移動可能に組み付けられている。
【００５６】
操作レバー９は、図１２で示すようにレバー本体９ａ，橋絡杆９ｂを備えて組み立てられている。また、取手用ポール１の外側に嵌め合わす固定環９０を上部側に、取手用ポール１の外側にスライド可能に嵌め合わす可動環９１を下部側に備え、レバー本体９ａの上端側を固定環９０に軸承連結し、橋絡杆９ｂの片端側をレバー本体９ａの中腹辺に枢着ピン９ｃで連結し、他端側を可動環９ｂに枢軸ピン９１ａで連結することから取手用ポール１に取り付けられている。
【００５７】
固定環９０には、レバー全体の位置調整時に緩め可能な締付けねじ９０ｂが備えられている。また、可動環９１にはスライドに伴う作業者の手との接触を避けられるよう、面取り部９１ｂが枢軸ピン９１ａによる橋絡杆９ｂの連結位置から下方の周面を斜めに切欠いて設けられている。
【００５８】
固定環９０，可動環９１に加えて、操作レバー９は牽引糸１０を所定長さ巻いたリール環９２を固定環９１の上部側に備えて組み立てられている。リール環９２には箆状の立上り辺９２ａを設け、牽引糸１０を巻き付ける上下の糸巻きピン９２ｂ，９２ｃが立上り辺９２ａに植立されている。リール環９０からは、牽引糸１０が作動バー１１の繋ぎピン１１ｂに絡め止められている。
【００５９】
リール環９２は、可動環９１と一体にスライド可能に固定環９１の上部側で取手用ポール１の外側に嵌め合わせて備え付けられている。可動環９１とリール環９２とは、上端側を巻取りピン９２ｃでリール環９２に締付け固定し、下端側を止めビス９４ａで可動環９１に締付け固定する掛渡しプレート９４で連結されている。掛渡しプレート９４には、可動環側９１，９２の復帰時に固定環９０と当接する位置決め用のストッパピン９４ｂが設けられている。
【００６０】
このように構成する直管型蛍光灯の着脱交換器具では、既設の蛍光灯を取り外すにあたり、作業者が具全体を取手用ポール１で持って蛍光灯の装備場所まで持ち上げ、まず、図１３で示すようにプッシャ４の外側面を相対するソケットケースＮ２の前面にあてがい、それを基準面として具全体を押し上げると、チャック３，３’が蛍光灯のガラス管Ｇを一対の湾曲爪３ａ，３ｂの相対間に受け入れて把持すると共に、プッシャ４が蛍光灯の口金Ｃ２を非接触状態で受け入れる。
【００６１】
その作業に先立って、チャック３，３’の湾曲爪３ａ，３ｂは、図１４で示すように外しピン３５を湾曲爪３ａ，３ｂの相対する横桁フレーム２の上面側に突出させ、且つ、楔状片３４の各側部辺３４ｂ，３４ｃを横桁フレーム２の側面と各支持板３２のガイド縁３２ｃとの間に割り込ませて一対の湾曲爪３ａ，３ｂをキー３ｃで開いた状態に保つ。
【００６２】
一対の湾曲爪３ａ，３ｂをキー３ｃで開いた状態に保ってから、上述したようにチャック３，３’を蛍光灯の装備場所まで持ち上げて蛍光灯のガラス管Ｇを互いに開いた湾曲爪３ａ，３ｂの間に受け入れると、蛍光灯のガラス管Ｇにより外しピン３５が押し下げられると共に、楔状片３ｃを横桁フレーム２の側面と各支持板３２のガイド縁３２ｃとの間より外し出せるから、図１５で示すように蛍光灯のガラス管Ｇを一対の湾曲爪３ａ，３ｂにより把持できる。このため、天井等の比較的高所に装備される蛍光灯でもチャック３，３’で簡単且つ確実に把持するようにできる。
【００６３】
チャック３，３’の開き保持と共に、プッシャ５は一対の囲いアームを５０ａ，５０ｂを支軸ピン５２ａ，５２ｂで開き状態に保つ（図６参照）。このプッシャ５では、蛍光灯のガラス管Ｇが囲いアーム５０ａ，５ｂの内端側に当接すると、各囲いアーム５ａ，５ｂの内面側が蛍光灯の口金と摺接しない略円形を呈するよう閉じる（図８参照）。これにより、蛍光灯が天井等の比較的高所に装備されている場合でも、プッシャ５が蛍光灯の口金Ｃ２を中央に取り込んでソケットケースＮ２に安定よく当接するようにできる。
【００６４】
蛍光灯のガラス管Ｇをチャック３，３’で把持し、蛍光灯の口金Ｃ２をプッシャ５で取り込んだならば、図１６で示すように作業者が操作レバー９のレバー本体９を掴んで取手用ポール１の周面と近接方向に引くと、橋絡杆９ｂを介して可動環９１と共に、リール環９２が取手用ポールの周面に沿って下降し、図１７で示すように作動バー１１が牽引糸１０で引張られて下降すると共に、屈伸リンク１２が作動バー１１を斜めに倒しながら伸長する。
【００６５】
屈伸リンク１２が伸長動すると、可動フレーム４が横桁フレーム２の一方の筒端より延長方向に伸び出し、プッシャ５が一方の当接したソケットケースＮ２を押し、図１８で示すように具全体が蛍光灯のガラス管Ｇをチャック３，３’で把持したままにプッシャ５と相対的にズレ動くことから、蛍光灯の灯全体により他方のソケットＳ１をソケットケースＮ１の内部に没入させる。これと同時に、プッシャ側のソケットＳ２から口金ピンＰ２を含む口金Ｃ２をソケットＳ２より抜き出せる。
【００６６】
具全体がプッシャ５と相対的にズレ動くに伴って、ストッパ片７がソケットケースＮ１の前面に当接することから、蛍光灯の灯全体により他方のソケットＳ１をソケットケースＮ１の内部に安定よく没入できると同時に、プッシャ側のソケットＳ２から口金ピンＰ２を含む口金Ｃ２をソケットＳ２より確実に抜き出せる。この時に、位置決めバー８ではソケットケースＮ１の設置面に当接するＬ字状バー８ａ，８ｂをストッパ片７の各上端側に設けた円筒ホルダー７ａ，７ｂでスライドすることからズレ動く。
【００６７】
プッシャ側の口金Ｃ２がソケットＳ２から外れた状態では、作業者が具全体を取手用ポール１でやや斜めにしながら引き下げれば、図１９で示すようにプッシャ５をソケットケースＮ２との当接状態より摺り外せ、蛍光灯のガラス管Ｇをチャック３，３’で挟持したまま口金ピンＰ２を含む口金Ｃ２をソケットケースＮ２より斜めに下ろせ、また、他方の口金ピンＰ１を含む口金Ｃ１を他方の没入したソケットＳ１より取り外せる。
【００６８】
そのプッシャ５の摺外し途上で、口金ピンＰ２がソケットケースＮ２の下端縁から外れたならば、操作レバー９の握りを解除すると、可動フレーム４が引張バネ４ａで横桁フレーム２の筒内に退却移動すると共に、屈伸リンク１２が屈折状態に戻って作動バー１１を上方に引き上げる。作動バー１１が上方に引き上げられると、牽引糸１０を介して操作レバー９の可動環側９１，９２を含む操作レバー９が復帰動する。
【００６９】
蛍光灯の取付けにあたっては、まず、作業者がプッシャ５の外側面と片方の口金Ｃ２とを基準面の端面相互で合わせて蛍光灯のガラス管Ｇをチャック３，３’で把持することから蛍光灯を横桁フレーム２に予め組み付ける。
【００７０】
次いで、取手用ポール１を持って蛍光灯を装備場所まで持ち上げ、具全体から蛍光灯を斜めに保って一方の口金ピンＰ１と相応するソケットＳ１の端子穴とを位置合わせする。この際には、位置決めバー８の金属バー８ａ，８ｂをソケットケースＮ１の両側部から設置面に向けて当接することから、蛍光灯を天井等の比較的高所に取り付けるにも、ストッパ片７の当接する側の口金Ｃ１とソケットＳ１とを容易に位置合わせできる（図１９参照）。
【００７１】
口金Ｃ１とソケットＳ１とを位置合わせしたならば、作業者が操作レバー９を軽く握りながらことから、プッシャ５を上部側の面取り部５０ａ，５０ｂから斜めにソケットケースＮ２の下端縁にあてがう。このプッシャ５のあてがい状態より、作業者が操作レバー９の握りを強めながら、上述したと逆に、プッシャ５をソケットケースＮ２に対して摺り上げるよう取手用ポールを持ち上げる。これにより、口金ピンＰ１をソケットＳ１の端子穴に差し込めると共に、プッシャ５をソケットケースＮ２の前面にあてがえる。
【００７２】
そのプッシャ５のあてがい状態では、プッシャ５がソケットケースＮ２を押すことから、具全体が蛍光灯のガラス管Ｇをチャック３，３’で挟持したままプッシャ５と相対的にズレ動き、蛍光灯の灯全体により先の口金ピンＰ１を位置合せした端子穴に差し込めてソケットＣ１をソケットケースＮ１の内部に没入させると共に、プッシャ側の口金ピンＰ２を含む口金Ｃ２を当該側のソケットＳ２と位置合わせできる。
【００７３】
プッシャ側の口金Ｃ２を当該側のソケットＳ２と合わせたら、作業者が操作レバーＰの握りを解除すると、上述したように可動フレーム４，屈伸リンク１２，作動バー１１を含む操作レバー９までが引張バネ４ａで復帰方向に戻ると共に、プッシャ５が退却移動することから、先の口金ピンＰ１を端子穴に差し込んだソケットＳ１をソケットケースＮ１の内部で迫り出させられると同時に、プッシャ側の口金ピンＰ２を当該側のソケットＳ２の端子穴に差し込める。
【００７４】
これにより、蛍光灯を高所の装備場所にも取り付けられ、作業者が具全体を取手用ポール１で引き下げれば、チャック３，３’、プッシャ５を蛍光灯より外すようにできる。その蛍光灯の取付け，取外しのいずれに際しても、チャック３，３’が蛍光灯のガラス管Ｇと擦れ動くことがなく、また、プッシャ５も蛍光灯のガラス管Ｇと摺接することがないため、ストレスをガラス管Ｇに加えないで、蛍光灯を簡単な操作で容易に着脱交換するようにできる。
【００７５】
取手用ポール１を長尺なものに代えるには、ホールホルダー１３の締付けねじ１３ａを弛めて既設の取手用ポール１を取り外せば、別のものに代えられる。これと共に、操作レバー９締付けねじ９０ｂを緩めて操作レバー９を前の取手用ポール１から取り外し、牽引糸１０を巻き戻すことから取り替えた取手用ポールに取付け直し、牽引糸１０の長さを調整すればよい。
【００７６】
上述した実施の形態では、可動フレーム４から操作レバー９の復帰動を可動フレーム４の引張バネ４ａで行わせる場合に基づいて説明したが、例えば作動バー１１の繋ぎピン１１ｂとポールホルダー１３または横桁フレーム２との間に掛け渡す引張バネを加えるようにできる。
【図面の簡単な説明】
【００７７】
【図１】本発明に係る直管型蛍光灯の着脱交換器具を全体的に示す正面図である。
【図２】図１の器具における横桁フレームに備える機構側を示す備え正面図である。
【図３】図２の横桁フレームに備えるチャックの一つを示す側面図である。
【図４ａ】図３のチャックを構成する湾曲爪を示す正面図である。
【図４ｂ】図４ａの湾曲爪を示す側面図である。
【図４ｃ】図４ａの湾曲爪を示す背面図である。
【図５】図３のチャックを示す正面図である。
【図６】図２の横桁フレームに備えるプッシャを示す側面図である。
【図７】図６のプッシャを示す正面図である。
【図８】図６のプッシャによる口金付近の取込み状態を示す説明図である。
【図９】図２の横桁フレームに備えるストッパ片を示す側面図である。
【図１０】図９のストッパ片に備える位置決めバーを示す正面図である。
【図１１】図２の横桁フレームに備える可動フレームの伸出し，退却機構を示す断面図である。
【図１２】図１の取手用ポールに備える操作レバーを示す側面図である。
【図１３】本発明に係る器具による既設蛍光灯の取外し初期段階を示す説明図である。
【図１４】図１３の器具による既設蛍光灯の取外し初期手順におけるチャックの開き状態を示す説明図である。
【図１５】図１３のチャックによる蛍光灯のガラス管把持状態を示す説明図である。
【図１６】図１２の操作レバーを作業者による握り状態で示す説明図である。
【図１７】図１６のレバー操作に伴う可動フレームの伸出し機構を示す作動状態で説明図である。
【図１８】本発明に係る器具による既設蛍光灯の取外し途中段階を示す説明図である。
【図１９】本発明に係る器具による既設蛍光灯の取外し最終段階を示す説明図である。
【図２０】既存の蛍光灯並びに取付け設備を示す説明図である。
【符号の説明】
【００７８】
Ｇ                  ガラス管
Ｃ１，Ｃ２            口金
Ｎ１，Ｎ２            ソケットケース
Ｓ１，Ｓ２            ソケット
１                  取手用ポール
２                  横桁フレーム
２ａ                横桁フレームの弾性パッド
３，３’            チャック
３ａ，３ｂ          一対の湾曲爪
３０                湾曲爪の支持枠
３０ａ              支持枠の横軸部
３０ｂ，３０ｃ      支持枠の湾曲軸部
３０ｃ，３０ｄ      支持枠の基軸部
３２                湾曲爪の支持板
３３ａ，３３ｂ      挟持爪の引張バネ
３ｃ                キー
３４                キーの楔状片
３５                キーの外しピン
４                  可動フレーム
４ａ                可動フレームの引張バネ
５                  プッシャ
５ａ，５ｂ          一対の囲いアーム
５０ａ，５０ｂ      プッシャの面取り部
５１ａ，５１ｂ      プッシャの立上りフレーム
５２ａ，５２ｂ      プッシャの支軸ピン
６                  固定フレーム
７                  ストッパ
８                  位置決めバー
９                  操作レバー
【図１】
0005365894.tif 000002
【図２】
0005365894.tif 000003
【図３】
0005365894.tif 000004
【図４ａ】
0005365894.tif 000005
【図４ｂ】
0005365894.tif 000006
【図４ｃ】
0005365894.tif 000007
【図５】
0005365894.tif 000008
【図６】
0005365894.tif 000009
【図７】
0005365894.tif 000010
【図８】
0005365894.tif 000011
【図９】
0005365894.tif 000012
【図１０】
0005365894.tif 000013
【図１１】
0005365894.tif 000014
【図１２】
0005365894.tif 000015
【図１３】
0005365894.tif 000016
【図１４】
0005365894.tif 000017
【図１５】
0005365894.tif 000018
【図１６】
0005365894.tif 000019
【図１７】
0005365894.tif 000020
【図１８】
0005365894.tif 000021
【図１９】
0005365894.tif 000022
【図２０】
0005365894.tif 000023